(57)【要約】【課題】  クリーニング用部材の植設可能な領域を広く確保して、クリーニング用部材の設計自由度を拡大できるＣＤオーディオプレーヤやＣＤ−ＲＯＭプレーヤ等各種のディスク再生装置にも対応できる汎用性のあるレンズクリーニングディスクを得る。【解決手段】  マルチセッションの第１セッションのリードインエリア（ＬＩ１）より外側から第２セッションの開始点までの領域にクリーニング用部材７ａ，７ｂ，７ｃ，７ｄを配置する。【選択図】        図１
2005243092.tif 000002
【特許請求の範囲】
【請求項１】
複数のセッションを持つマルチセッションのディスク再生装置用のレンズクリーニングディスクにおいて、
最初のセッションのリードインエリアより外側から最後のセッションの開始点までの領域に配置されたクリーニング用部材を備えたことを特徴とするレンズクリーニングディスク。
【請求項２】
クリーニング用部材を、少なくとも１つのセッション内における第１トラックのポーズ区間に設けたことを特徴とする請求項１記載のレンズクリーニングディスク。
【請求項３】
クリーニング用部材を、３個以上のセッションをもつマルチセッションの最初と最後のセッションに挟まれたセッションに設けたことを特徴とする請求項１または請求項２記載のレンズクリーニングディスク。
【発明の詳細な説明】
【技術分野】
【０００１】
この発明は、マルチセッションを有するディスク再生装置のピックアップレンズをクリーニングするレンズクリーニングディスクに関するものである。
【背景技術】
【０００２】
通常、ＣＤプレーヤ等のディスク再生装置では、コンパクトディスクに正対する光学レンズを介して記録信号を読み取るが、この光学レンズ即ちピックアップレンズの表面に空気中の浮遊塵や線維屑等の異物が付着すると、信号の読み取りエラーを生じ、再生特性が低下する。
そこで、このような不具合を解消し、ピックアップレンズをクリーニングするために、従来、コンパクトディスクと実質的に同一形状のレンズクリーニングディスクを用い、複数のブラシ毛を束ねた毛束を、そのディスク表面に渦巻状に分散配置したものがある（例えば、特許文献１参照）。
このレンズクリーニングディスクは、リードインエリアの外線から微小距離分外側に仮想原点を設定し、仮想原点から半時計方向へ４５度ずつ位相をずらし、さらに位相がずれるごとに所定の距離ずつずらして植設中心を設定し、各植設中心に毛束を植設している。
【０００３】
【特許文献１】特公平０６−１０３５４１号公報
【発明の開示】
【発明が解決しようとする課題】
【０００４】
ところが、上記のような従来のレンズクリーニングディスクの場合には、多くのディスク再生装置がＴＯＣ（Ｔａｂｌｅ  Ｏｆ  Ｃｏｎｔｅｎｔｓ）周辺でフォーカスＯＮ制御を実行するので、ディスク再生装置によっては、植設された毛束に接触してフォーカスＯＮの動作を完了することができず、次のモードに遷移できなくなり、その結果、一連のクリーニング動作を完了できないという問題点があった。
また、再生開始時におけるＴＯＣ移動時とＴＯＣ再生後にクリーニングを実行するので、レンズクリーニングディスク上の非常に狭い領域に毛束を植設する必要があり、そのため、正確な位置に毛束を植設する必要があるのと同時に、植設する毛束の数を増やすことは非常に困難であった。
また、プログラムエリアに毛束を植設した場合は、ディスク再生装置の誤り検出機能が働き、一連のクリーニング動作を完了できないという問題点や、ピックアップにクリーニング用部材が接触した際に、誤動作や雑音が発生する等の問題点があった。
また、ピックアップがクリーニング用部材上を通過する回数が少なかったので、十分なレンズクリーニング効果を得ることは困難であった。
【０００５】
この発明は、前記のような課題を解決するためになされたもので、ピックアップレンズを効率よく確実にクリーニングできると共にクリーニング用部材の設計自由度を拡大でき、また、クリーニング動作時の誤動作や雑音等の発生を防ぎ、しかも同じ数のクリーニング用部材を植設していても大きなレンズクリーニング効果が得られるレンズクリーニングディスクを得ることを目的とする。
【課題を解決するための手段】
【０００６】
この発明に係るレンズクリーニングディスクは、マルチセッションにおける最初のセッションのリードインエリアより外側から最後のセッションの開始点までの領域にクリーニング用部材を配置したものである。
【発明の効果】
【０００７】
この発明は、ピックアップレンズを効率よく確実にクリーニングできると共に、クリーニング用部材の植設可能な領域を広く確保して、クリーニング用部材の設計自由度を拡大でき、また、ＣＤオーディオプレーヤでも、ＣＤ−ＲＯＭプレーヤでも対応可能な汎用性のあるレンズクリーニングディスクを得ることができる。
【発明を実施するための最良の形態】
【０００８】
以下、この発明の実施の一形態を説明する。
実施の形態１．
図１は、この発明の実施の形態１によるレンズクリーニングディスクの構造を示す構成図である。
本実施の形態におけるレンズクリーニングディスクＬＣＤは、２つのセッションから構成されており、第１セッションはリードインエリア（ＬＩ１）１、プログラムエリア（Ｐ１）２、リードアウトエリア（ＬＯ１）３の３つの領域から構成され、これと同様に第２セッションはリードインエリア（ＬＩ２）４、プログラムエリア（Ｐ２）５、リードアウトエリア（ＬＯ２）６の３つの領域から構成されている。
【０００９】
また、本実施の形態では、このレンズクリーニングディスクＬＣＤの第１セッションのプログラムエリア（Ｐ１）２内に複数のクリーニング用部材７ａ，７ｂ，７ｃ，７ｄが植設される。つまり、これらのクリーニング用部材７ａ，７ｂ，７ｃ，７ｄは、リードインエリア（ＬＩ１）１より外径側のデータエリアつまりプログラムエリア（Ｐ１）２内に設けられている。
次に、このレンズクリーニングディスクＬＣＤのデータ構成を、図２を参照して説明する。
【００１０】
図２（ａ）は、実質的にサブコーティングフレームフォーマットを示すもので、フレーム９８個を集めたものを１ブロックと称する。また、図２（ｂ）のフレームフォーマットに示すように、音楽データＬＲ２チャンネルの各６サンプル分のデータすなわち２４（＝１２×２）シンボル相当のデータとパリティ８（４×２）シンボルの３２シンボルとサブコーディング１シンボルとフレーム同期信号１シンボルとで１フレーム（５８８ビット）を構成している。つまり、フレーム同期信号１シンボル＝２４ビット、サブコーディング１シンボル＝１４ビット、ディジタルオーディオのデータとパリティ３２シンボル＝３２×１４ビット、そして、各シンボルの結合のための３ビットずつが用意され、総計５８８ビットからなる１つのフレームが構成されている。
【００１１】
１フレームの中に所謂ＥＦＭ変調による８ビット分のサブコーディングが割り当てられているが、その各々のビットは、図２（ｃ）に示すように、Ｐ，Ｑ，Ｒ，Ｓ，Ｕ，Ｖ，Ｗチャンネルと呼ばれており、この各々のチャンネルは１ブロック中の各９８個存在する。そして、この８ビットの用途は、第１に、曲の頭だしや、予め設定された順序に従って再生するプログラム機能を持たせること、第２に、ディスプレイ等、これまでのＬＰレコードでは出来なかった種々の楽しみ方ができるようにすることであるが、上記第１の用途にＰ，Ｑの２ビットが、第２の用途にＲからＷまでの６ビットが使用される。この中で、特に、Ｑチャンネルの内容によって、図３に示すように意味付けがされている。
【００１２】
図３は、サブコーディングにおけるＱチャンネルの内容を示すもので、図３（ａ）はリードインエリア（ＴＯＣ）内のデータ構造、図３（ｂ）はプログラムエリアのデータ構造、図３（ｃ）はリードアウトエリアのデータ構造をそれぞれ表している。
図３（ａ）のように、ＴＮＯ（検索番号）が００のときはリードインエリア、図３（ｂ）のように、ＴＮＯが０１〜９９のときプログラムエリア、図３（ｃ）のように、ＴＮＯがＡＡのときはリードアウトエリアであることを示し、さらにその他のＱチャンネルの内容により詳細な意味を示す。
【００１３】
図３（ａ）に示すリードインエリア内のＱチャンネルデータは、ＴＯＣと呼ばれ、プログラムエリアの開始位置等の情報が記録されており、ディスク再生装置はこれらのＱチャンネルの内容を使用することにより、頭出し等の再生制御が可能になる。因みに、図３（ａ）におけるＰＯＩＮＴ：００〜９９はその数字で示される各楽章が始まる絶対時間、即ちＰＭＩＮ，ＰＳＥＣ，ＰＦＲＡＭＥにて各トラックが始まる絶対時間を表し、ＰＯＩＮＴ：Ａ０はＰＭＩＮにて最初の楽章番号、ＰＳＥＣにてセッションの種類を表し、ＰＯＩＮＴ：Ａ１はＰＭＩＮにて最後の楽章番号を表し、ＰＯＩＮＴ：Ａ２はＰＭＩＮ，ＰＳＥＣ，ＰＦＲＡＭＥにてリードアウトが始まる絶対時間を表し、ＰＯＩＮＴ：Ｂ０はこのディスクがマルチセッションディスクであり、ＭＩＮ，ＳＥＣ，ＦＲＡＭＥにて次のセクションのプログラムエリアが始まる絶対時間、ＭＩＮ，ＳＥＣ，ＦＲＡＭＥが全てＦＦのときかＢＯが存在しないときは最終セクションであることを表す。
また、図３（ｂ）におけるＩＮＤＥＸ：０はポーズ区間を表し、ＩＮＤＥＸ：００〜９９はＩＮＤＥＸ番号を表す。
【００１４】
次に、レンズクリーニングディスクをディスク再生装置にて再生した場合の動作を、図４を参照して説明する。この図４において、ディスクの構成は図１と同様であり、矢印（１）〜（３）は再生順を示す。なお、図４におけるクリーニング用部材７は、図１の第１セッションのプログラムエリア（Ｐ１）２内に植設されている複数のクリーニング用部材７ａ，７ｂ，７ｃ，７ｄの１つを代表的に示すものである。
【００１５】
いま、ディスク再生装置にてレンズクリーニングディスクを再生したとき、まずピックアップ（図示せず）の先端に取り付けられたピックアップレンズ８は所定の位置例えば第１セッションのプログラムエリア（Ｐ１）２の先頭近傍でフォーカスＯＮする。その後ピックアップレンズ８は、矢印（１）で示すようにリードインエリア（ＬＩ１）１に移動し、ピックアップにより第１セッションのＴＯＣを読み取る。
【００１６】
その後ピックアップレンズ８は、矢印（２）で示すように第２セッションのリードインエリア（ＬＩ２）４に移動し、ピックアップにより第２セッションのＴＯＣを読み取る。この過程でピックアップレンズ８はクリーニング用部材７に接触する（１回目）。その後、さらにピックアップレンズ８は、矢印（３）で示すように第１セッションのプログラムエリア（Ｐ１）２の先頭に移動して、ピックアップはこの位置から再生を開始する。この過程でピックアップレンズ８はクリーニング用部材７に接触する（２回目）。このとき、プログラムエリア（Ｐ１）２の先頭には、「クリーニングが終了したので、ディスクを取り出してください」等の音声が記録されている。
【００１７】
以上のように、この実施の形態１によれば、最初のセッションであるリードインエリアより外側から最後のセッションである第２セッションの開始点までの領域にクリーニング用部材を配置したレンズクリーニングディスクを用いて再生動作を実行することにより、ピックアップレンズを２回クリーニング用部材と接触させ、ピックアップレンズに対するレンズクリーニングを実行することができ、以って、ピックアップレンズを効率よく確実にクリーニングできると共に、クリーニング用部材の植設可能な領域を広く確保して、クリーニング用部材の設計自由度を拡大できる。また、実質的にマルチセッションディスクにおけるＴＯＣ読み取り動作を利用してクリーニングするため、ＣＤオーディオプレーヤでも、ＣＤ−ＲＯＭプレーヤでも対応可能で汎用性のあるレンズクリーニングディスクを得ることができる。
【００１８】
実施の形態２．
図５は、この発明の実施の形態２によるレンズクリーニングディスクの構成を示す図である。
本実施の形態におけるレンズクリーニングディスクも、２つのセッションから構成され、第１セッションはリードインエリア（ＬＩ１）１、プログラムエリア（Ｐ１）２、リードアウトエリア（ＬＯ１）３の３つの領域から構成され、第２セッションはリードインエリア（ＬＩ２）４、プログラムエリア（Ｐ２）５、リードアウトエリア（ＬＯ２）６の３つの領域から構成されるのは、上記実施の形態１と同様である。
【００１９】
そして、本実施の形態におけるレンズクリーニングディスクにおいては、第１セッションはプログラムエリア（Ｐ１）２の先頭部にポーズ区間９が配置される。このポーズ区間９は上述の図３（ｂ）からも分かるように、ＩＮＤＥＸ００が記録されている区間である。
また、本実施の形態では、少なくとも１つのセッション内において第１トラックのポーズ区間にクリーニング用部材を設ける。即ち、例えば、図５に示すように、プログラムエリア（Ｐ１）２の先頭部にあるポーズ区間９にクリーニング用部材７を植設する。
【００２０】
次に、レンズクリーニングディスクをディスク再生装置にて再生した場合の動作を、図５を参照して説明する。なお、図５において、ディスクの構成は図１と同様であり、矢印（１）〜（３）は再生順を示す。
いま、ディスク再生装置にてレンズクリーニングディスクを再生したとき、まずピックアップ（図示せず）の先端に取り付けられたピックアップレンズ８は所定の位置例えば第１セッションのプログラムエリア（Ｐ１）２の先頭部にあるポーズ区間９の先頭近傍でフォーカスＯＮする。その後ピックアップレンズ８は、矢印（１）で示すようにリードインエリア（ＬＩ１）１に移動し、ピックアップにより第１セッションのＴＯＣを読み取る。その後ピックアップレンズ８は、矢印（２）で示すように第２セッションのリードインエリア（ＬＩ２）４に移動し、ピックアップにより第２セッションのＴＯＣを読み取る。この過程でピックアップレンズ８はクリーニング用部材７に接触する（１回目）。
【００２１】
その後、ピックアップレンズ８は、矢印（３）で示すように第１セッションのプログラムエリア（Ｐ１）２の先頭に移動し、ピックアップにより第１セッションのＴＯＣ情報に従い、第１セッション、第１トラックのポーズ区間９の終了後のプログラムエリア（Ｐ１）２を再生する。なお、この部分即ちプログラムエリア（Ｐ１）２の先頭には、「クリーニングが終了したので、ディスクを取り出してください」等の音声が記録されている。
【００２２】
従って、多くのディスク再生装置は、再生開始後、ＴＯＣ情報を元に第１トラックの再生位置にピックアップを移動して再生するが、ＴＯＣ情報はポーズ終了後の位置が記憶してあるため、この実施の形態２のように、ポーズ区間９にクリーニング用部材７を植設していれば、再生中にピックアップレンズ８がクリーニング用部材７に接触するのでなく、第１トラックに移動する過程でクリーニング用部材７に接触するため、誤動作や雑音等の発生が防止される。
【００２３】
以上のように、この実施の形態２によれば、少なくとも１つのセッション内において第１トラックのポーズ区間にクリーニング部材を設けてピックアップレンズをクリーニング用部材に１回接触させることで、ピックアップレンズのクリーニングを実行することができ、また、クリーニング用部材は第１トラックのポーズ区間に植設されており、このポーズ区間を除いて再生を行うため、誤動作や雑音等の発生を防ぐことが可能である。
【００２４】
実施の形態３．
図６は、この発明の実施の形態３によるレンズクリーニングディスクの構成を示す図である。
本実施の形態におけるレンズクリーニングディスクは、３つのセッションから構成され、第１セッションはリードインエリア（ＬＩ１）１、プログラムエリア（Ｐ１）２、リードアウトエリア（ＬＯ１）３の３つの領域から構成され、第２セッションはリードインエリア（ＬＩ２）４、プログラムエリア（Ｐ２）５、リードアウトエリア（ＬＯ２）６の３つの領域から構成され、同様に第３セッションはリードインエリア（ＬＩ３）１１、プログラムエリア（Ｐ３）１２、リードアウトエリア（ＬＯ３）１３の３つの領域から構成されている。
【００２５】
そして、本実施の形態におけるレンズクリーニングディスクにおいては、第１セッションはプログラムエリア（Ｐ１）２の先頭部にポーズ区間９が配置され、第２セッションはプログラムエリア（Ｐ２）５の先頭部にポーズ区間１０が配置され、第３セッションはプログラムエリア（Ｐ３）１２の先頭部にポーズ区間１４が配置される。これらのポーズ区間９，１０，１４も上述の図３（ｂ）からも分かるように、ＩＮＤＥＸ００が記録されている区間である。
【００２６】
また、本実施の形態では、３個のセッションの内、最初と最後のセッションに挟まれたセッション、つまり第１セッションと第３セッションに挟まれた第２セッションにクリーニング用部材７を設ける。即ち、図６に示すように、第２セッションのプログラムエリア（Ｐ２）５内（のポーズ区間１０）にクリーニング用部材７を植設する。
【００２７】
次に、レンズクリーニングディスクをディスク再生装置にて再生した場合の動作を、図６を参照して説明する。なお、図６において、ディスクの構成は図１のものに、さらに１つセッションが追加された場合を考えればよく、矢印（１）〜（６）は再生順を示す。
いま、ディスク再生装置にてレンズクリーニングディスクを再生したとき、まずピックアップ（図示せず）の先端に取り付けられたピックアップレンズ８は所定の位置例えば第１セッションのプログラムエリア（Ｐ１）２の先頭部にあるポーズ区間９の先頭近傍でフォーカスＯＮする。その後ピックアップレンズ８は、矢印（１）で示すようにリードインエリア（ＬＩ１）１に移動し、ピックアップにより第１セッションのＴＯＣを読み取る。
【００２８】
その後ピックアップレンズ８は、矢印（２）で示すように第２セッションのリードインエリア（ＬＩ２）４に移動し、ピックアップ本体により第２セッションのＴＯＣを読み取る。その後ピックアップレンズ８は、リードインエリア（ＬＩ３）に移動し、ピックアップにより第３セッションのＴＯＣを読み取る。この過程でピックアップレンズ８はクリーニング用部材７に接触する（１回目）。その後、ピックアップレンズ８は、矢印（４）で示すように第１セッションのプログラムエリア（Ｐ１）２の先頭に移動し、ピックアップにより第１セッションのＴＯＣ情報に従い、第１セッション、第１トラックのポーズ区間９の終了後のプログラムエリア（Ｐ１）２を再生する。この過程でピックアップレンズ８はクリーニング用部材７に接触する（２回目）。
【００２９】
その後、ピックアップレンズ８は、矢印（５）で示すように第２セッションのプログラムエリア（Ｐ２）５の先頭に移動し、ピックアップにより第２セッションのＴＯＣ情報に従い、第２セッション、第１トラックのポーズ区間１０の終了後のプログラムエリア（Ｐ２）５を再生する。この部分に、「クリーニングが終了したので、ディスクを取り出してください」等の音声が記録されている。また、この過程でピックアップレンズ８はクリーニング用部材７に接触する（３回目）。
【００３０】
以上のように、この実施の形態３によれば、３個のセッションを設け、最初と最後のセッションに挟まれたセッション、つまり第２のセッションにクリーニング用部材を設けたレンズクリーニングディスクを用いて再生動作を実行することにより、ピックアップレンズは３回クリーニング用部材と接触し、このときのレンズクリーニングが実行される。従って、ピックアップが往復する回数が増加し、ピックアップレンズがクリーニング用部材に触れる回数が増え、この結果、同じ数のクリーニング用部材を植設していても大きなレンズクリーニング効果が得られる。なお、上記では、セッションが３つの場合であるが、これを超える複数のセッションの場合も同様に適用でき、同様の効果を奏する。
【図面の簡単な説明】
【００３１】
【図１】この発明の実施の形態１によるレンズクリーニングディスクの構造を示す構成図である。
【図２】この発明の実施の形態１によるレンズクリーニングディスクのデータ構成を説明するための図である。
【図３】この発明の実施の形態１によるレンズクリーニングディスクのサブコーディングにおけるＱチャンネルの内容を示す図である。
【図４】この発明の実施の形態１によるレンズクリーニングディスクの再生動作を説明するための図である。
【図５】この発明の実施の形態２によるレンズクリーニングディスクの構成を示す図である。
【図６】この発明の実施の形態３によるレンズクリーニングディスクの構成を示す図である。
【符号の説明】
【００３２】
１  リードインエリア（ＬＩ１）、２  プログラムエリア（Ｐ１）、３  リードアウトエリア（ＬＯ１）、４  リードインエリア（ＬＩ２）、５  プログラムエリア（Ｐ２）、６  リードアウトエリア（ＬＯ２）、７，７ａ，７ｂ，７ｃ，７ｄ  クリーニング用部材、８  ピックアップレンズ、９，１０，１４  ポーズ区間、１１  リードインエリア（ＬＩ３）、１２  プログラムエリア（Ｐ３）、１３  リードアウトエリア（ＬＯ３）。
【図１】
2005243092.tif 000003
【図２】
2005243092.tif 000004
【図３】
2005243092.tif 000005
【図４】
2005243092.tif 000006
【図５】
2005243092.tif 000007
【図６】
2005243092.tif 000008